(57)【要約】【課題】本発明の課題は、名刺交換相手以外の者に知られたくない非公開情報(例：電話番号、メールアドレス)を、名刺交換をした相手以外から保護する名刺情報取得システム等を提供することにある。【解決手段】インターネットによる名刺情報取得システムにおいて、名刺に印刷されたＱＲコードを読み取るＱＲコードリーダと、端末の使用者の非公開情報、公開鍵情報及び秘密鍵情報を保持し、かつＱＲコードリーダで読み取る名刺のＱＲコードからの情報(非公開情報取得ＵＲＬ、公開鍵情報)を保持する領域を有するデータベースと、相手の公開鍵情報により非公開情報を暗号化する手段や暗号化された非公開情報を公開鍵情報と対となる秘密鍵情報で復号化する手段を有するサーバと、その復号化された非公開情報を表示する端末と、を備える名刺情報取得システム。【選択図】  図４
2008282238.tif 000002
【特許請求の範囲】
【請求項１】
ネットワークと、当該ネットワークに接続する第１のサーバ及び第２のサーバと、当該第１のサーバに接続する表示画面を有するパーソナルコンピュータからなる第１の端末と、当該第２のサーバに接続する表示画面を有するパーソナルコンピュータからなる第２の端末と、当該第1のサーバに接続する第１のデータベースと、当該第２のサーバに接続する第２のデータベースと、当該第１のサーバに接続し、第２の端末使用者の名刺に印刷された名刺交換相手以外の者に知られてもよい公開情報、名刺交換相手以外の者に知られたくない非公開情報を取得するＵＲＬ及び公開鍵情報を格納したＱＲコードを読取る第１のＱＲコードリーダと、当該第２のサーバに接続し、第１の端末使用者の名刺に印刷された名刺交換相手以外の者に知られてもよい公開情報、名刺交換相手以外の者に知られたくない非公開情報を取得するＵＲＬ及び公開鍵情報を格納したＱＲコードを読取る第２のＱＲコードリーダとを備え、当該第２の端末使用者の非公開情報を当該第１の端末の表示画面に表示する名刺情報取得システムにおいて、
当該第１のデータベースは、第１の端末使用者の当該非公開情報、公開鍵情報及び当該公開鍵情報と対となる秘密鍵情報並びに第２の端末使用者の当該公開情報、当該非公開情報取得ＵＲＬ及び当該公開鍵情報を保持する領域を有し、
当該第２のデータベースは、第２の端末使用者の当該非公開情報、公開鍵情報及び当該公開鍵情報と対となる秘密鍵情報並びに第１の端末使用者の当該公開情報、当該非公開情報取得ＵＲＬ及び当該公開鍵情報を保持する領域を有し、
当該第１の端末は、当該第１のサーバに第２の端末使用者の非公開情報取得命令を送信する手段と、当該第１のサーバから第２の端末使用者の非公開情報を受信する手段と、受信した第２の端末使用者の非公開情報を表示画面に表示する手段を有し、
当該第１のサーバは、当該第１の端末から第２の端末使用者の非公開情報取得命令を受信し、当該第１のデータベースから第２の端末使用者の非公開情報取得ＵＲＬにもとづき第２端末使用者の非公開情報取得命令を当該ネットワークを介して接続する第２のサーバへ送信する手段と、当該第２のサーバから公開鍵情報取得命令を受信し、当該第１のデータベースから当該第１の端末使用者の公開鍵情報を取得し、当該第２のサーバへ送信する手段と、当該第２のサーバから当該第１の端末使用者の公開鍵情報で暗号化した第２の端末使用者の非公開情報を受信する手段と、当該第１のデータベースから第１の端末使用者の秘密鍵情報を取得する手段と、暗号化した第２の端末使用者の非公開情報を当該第１の端末使用者の秘密鍵情報により復号化する手段と、復号化した当該第２の端末使用者の非公開情報を当該第１の端末へ送信する手段とを有し、
当該第２のサーバは、当該第１のサーバから当該第２の端末使用者の非公開情報取得命令を受信する手段と、当該第１の端末使用者の公開鍵情報取得命令を当該第１のサーバへ送信し、当該第１のサーバから当該第１の端末使用者の公開鍵情報を受信する手段と、受信した当該第１の端末使用者の公開鍵情報が当該第２のデータベースに存在することを確認する手段と、受信した当該第１の端末使用者の公開鍵情報が当該第２のデータベースに存在することが確認できた場合第２のデータベースからの第２の端末使用者の非公開情報を取得する手段と、取得した当該第２の端末使用者の非公開情報を、受信した当該第１の端末使用者の公開鍵情報で暗号化する手段と、当該第１の端末使用者の公開鍵情報で暗号化した当該第２の端末使用者の非公開情報を当該第１のサーバへ送信する手段(706S)とを有し、
第１の端末の使用者の名刺と第２の端末の使用者の名刺とが交換されることにより、
第２の端末使用者の名刺に印刷されたＱＲコードは当該第１のＱＲコードリーダにより読取られ第２の端末使用者の名刺の公開情報、非公開情報取得ＵＲＬ及び公開鍵情報を当該第１のデータベースに格納し、
第１の端末使用者の名刺に印刷されたＱＲコードは当該第２のＱＲコードリーダにより読取られ第１の端末使用者の名刺の公開情報、非公開情報取得ＵＲＬ及び公開鍵情報を当該第２のデータベースに格納し、
第１の端末が第２の端末使用者の非公開情報を取得する命令を当該第１のサーバへ送信すると当該第１のサーバはこれを受信し、当該第１のデータベースに保持する第２の端末使用者の非公開情報取得ＵＲＬにもとづき第２の端末使用者の非公開情報取得命令を当該第２のサーバへ送信し、
当該第２のサーバはこれを受信し、第１の端末使用者の公開鍵情報を取得する命令を当該第１のサーバへ送信し、
当該第１のサーバはこれを受信し当該第１のデータベースに保持する第１の端末使用者の公開鍵情報を第２のサーバへ送信し、
当該第２のサーバはこれを受信し、受信した公開鍵情報が当該第２のデータベースに存在することを確認し、当該第２のデータベースに保持する第２の端末使用者の非公開情報を第１の端末使用者の公開鍵情報で暗号化し暗号化した第２の端末使用者の非公開情報を当該第１のサーバへ送信し、
当該第１のサーバはこれを受信し、受信した暗号化された第２の端末使用者の非公開情報を当該第１のデータベースに保持する第１の端末使用者の秘密鍵情報で復号化し復号化した第２の端末使用者の非公開情報を当該第１の端末に送信し、
当該第1の端末はこれを受信し、受信した第２の端末使用者の非公開情報を画面表示部に表示することを特徴とする名刺情報取得システム。
【請求項２】
ネットワークと、当該ネットワークに接続し名刺情報を管理する第１のサーバ及び第２のサーバと、当該第１のサーバに接続する表示画面を有するパーソナルコンピュータからなる第１の端末と、当該第２のサーバに接続する表示画面を有するパーソナルコンピュータからなる第２の端末と、当該第1のサーバに接続する第１のデータベースと、当該第２のサーバに接続する第２のデータベースと、当該第１のサーバに接続し、第２の端末使用者の名刺に印刷された名刺交換相手以外の者に知られてもよい公開情報、名刺交換相手以外の者に知られたくない非公開情報を取得するＵＲＬ及び公開鍵情報を格納したＱＲコードを読取る第１のＱＲコードリーダと、当該第２のサーバに接続し、第１の端末使用者の名刺に印刷された名刺交換相手以外の者に知られてもよい公開情報、名刺交換相手以外の者に知られたくない非公開情報を取得するＵＲＬ及び公開鍵情報を格納したＱＲコードを読取る第２のＱＲコードリーダとを備え、当該第２の端末使用者の非公開情報を当該第１の端末の表示画面に表示する名刺情報取得システムにおいて、
当該第１のデータベースは、第１の端末使用者の当該非公開情報、公開鍵情報及び当該公開鍵情報と対となる秘密鍵情報 並びに第２の端末使用者の当該公開情報、当該非公開情報取得ＵＲＬ及び当該公開鍵情報を保持する領域を有し、
当該第２のデータベースは、第２の端末使用者の当該非公開情報、公開鍵情報及び当該公開鍵情報と対となる秘密鍵情報 並びに第１の端末使用者の当該公開情報、当該非公開情報取得ＵＲＬ及び当該公開鍵情報を保持する領域を有し、
当該第１の端末は、当該第１のサーバに第２の端末使用者の非公開情報取得命令を送信する手段と、当該第１のサーバから第２の端末使用者の非公開情報を受信する手段と、受信した第２の端末使用者の非公開情報を表示画面に表示する手段を有し、
当該第１のサーバは、当該第１の端末から第２の端末使用者の非公開情報取得命令を受信し、当該第１のデータベースから第２の端末使用者の非公開情報取得ＵＲＬにもとづき第２端末使用者の非公開情報取得命令を当該ネットワークを介して接続する第２のサーバへ送信する手段と、当該第２のサーバから公開鍵情報取得命令を受信し、当該第１のデータベースから当該第１の端末使用者の公開鍵情報を取得し、当該第２のサーバへ送信する手段と、当該第２のサーバから当該第１の端末使用者の公開鍵情報で暗号化した第２の端末使用者の非公開情報を受信する手段と、当該第１のデータベースから第１の端末使用者の秘密鍵情報を取得する手段と、暗号化した第２の端末使用者の非公開情報を当該第１の端末使用者の秘密鍵情報により復号化する手段と、復号化した当該第２の端末使用者の非公開情報を当該第１の端末へ送信する手段とを有し、
当該第２のサーバは、当該第１のサーバから当該第２の端末使用者の非公開情報取得命令を受信する手段と、当該第１の端末使用者の公開鍵情報取得命令を当該第１のサーバへ送信し、当該第１のサーバから当該第１の端末使用者の公開鍵情報を受信する手段と、受信した当該第１の端末使用者の公開鍵情報が当該第２のデータベースに存在することを確認する手段と、受信した当該第１の端末使用者の公開鍵情報が当該第２のデータベースに存在することが確認できた場合第２のデータベースからの第２の端末使用者の非公開情報を取得する手段と、取得した当該第２の端末使用者の非公開情報を、受信した当該第１の端末使用者の公開鍵情報で暗号化する手段と、当該第１の端末使用者の公開鍵情報で暗号化した当該第２の端末使用者の非公開情報を当該第１のサーバへ送信する手段とを有することを特徴とする名刺情報取得システム。
【請求項３】
ネットワークと、当該ネットワークに接続し名刺情報を管理する第１のサーバ及び第２のサーバと、当該第１のサーバに接続する表示画面を有するパーソナルコンピュータからなる第１の端末と、当該第２のサーバに接続する表示画面を有するパーソナルコンピュータからなる第２の端末と、当該第1のサーバに接続する第１のデータベースと、当該第２のサーバに接続する第２のデータベースと、当該第１のサーバに接続し、第２の端末使用者の名刺に印刷された名刺交換相手以外の者に知られてもよい公開情報、名刺交換相手以外の者に知られたくない非公開情報を取得するＵＲＬ及び公開鍵情報を格納したＱＲコードを読取る第１のＱＲコードリーダと、当該第２のサーバに接続し、第１の端末使用者の名刺に印刷された名刺交換相手以外の者に知られてもよい公開情報、名刺交換相手以外の者に知られたくない非公開情報を取得するＵＲＬ及び公開鍵情報を格納したＱＲコードを読取る第２のＱＲコードリーダとから成り、
第１の端末の使用者の当該名刺と、第２の端末の使用者の当該名刺とが交換されることにより、第２の端末使用者の名刺に印刷されたＱＲコードは当該第１のＱＲコードリーダにより読取られ、第２の端末使用者の名刺の公開情報、非公開情報取得ＵＲＬ及び公開鍵情報を当該第１のデータベースに格納し、
第１の端末使用者の名刺に印刷されたＱＲコードは当該第２のＱＲコードリーダにより読取られ、第１の端末使用者の名刺の公開情報、非公開情報取得ＵＲＬ及び公開鍵情報を当該第２のデータベースに格納し、
第１の端末が第２の端末使用者の非公開情報を取得する命令を当該第１のサーバへ送信すると、当該第１のサーバはこれを受信し、当該第１のデータベースに保持する第２の端末使用者の非公開情報取得ＵＲＬに基づき第２の端末使用者の非公開情報取得命令を当該第２のサーバへ送信し、
当該第２のサーバはこれを受信し、第１の端末使用者の公開鍵情報を取得する命令を当該第１のサーバへ送信し、
当該第１のサーバはこれを受信し、当該第１のデータベースに保持する、第１の端末使用者の公開鍵情報を第２のサーバへ送信し、
当該第２のサーバはこれを受信し、受信した公開鍵情報が当該第２のデータベースに存在することを確認し、当該第２のデータベースに保持する第２の端末使用者の非公開情報を第１の端末使用者の公開鍵情報で暗号化し、暗号化した第２の端末使用者の非公開情報を当該第１のサーバへ送信し、
当該第１のサーバはこれを受信し、受信した暗号化された第２の端末使用者の非公開情報を当該第１のデータベースに保持する第１の端末使用者の秘密鍵情報で復号化し、復号化した第２の端末使用者の非公開情報を当該第１の端末に送信し、
当該第1の端末はこれを受信し、受信した第２の端末使用者の非公開情報を画面表示部に表示することを特徴とする名刺情報取得方法。
【請求項４】
名刺交換相手以外の者に知られてもよい公開情報、名刺交換相手以外の者に知られたくない非公開情報を取得するＵＲＬ及び公開鍵情報を格納したＱＲコードを印刷する名刺。
【請求項５】
名刺交換相手以外の者に知られてもよい公開情報、名刺交換相手以外の者に知られたくない非公開情報を取得するＵＲＬ及び公開鍵情報を格納したＱＲコードを裏面に印刷する名刺。
【発明の詳細な説明】
【技術分野】
【０００１】
本発明は、名刺交換をした相手の名刺情報を取得するシステム及び名刺情報取得方法に関し、特に、データベースに格納した名刺情報を、公開鍵情報、秘密鍵情報を使用して暗号化、復号化することにより、名刺交換をした相手以外の者から名刺情報を保護する名刺情報取得システム及び名刺情報取得方法に関するものである。
【背景技術】
【０００２】
従来、名刺交換をした相手の名刺情報を取得することについては、一般に、名刺に印刷されている情報を目視で取得することや、名刺に印刷されているＵＲＬやＱＲコードからサーバにアクセスしそのまま情報（非公開情報を含め）を取得することが知られている。これらによれば、名刺交換をした相手以外の者でも名刺情報を取得することができるため、名刺交換をした相手以外の者に知られたくない非公開情報を保護することができなかった。
【０００３】
また、プライバシーを保証し、ユーザに通信が完全で不変であることを保証することができる電子名刺を交換する端末がある（例えば、特許文献１参照）。
【０００４】
【特許文献１】特開２００６−１０１４６９号公報
【発明の開示】
【発明が解決しようとする課題】
【０００５】
以上に述べたとおり、従来では、名刺交換をした相手以外の者でも名刺情報を取得することができるため、名刺交換をした相手以外の者に知られたくない非公開情報を保護（秘密に保つ）ができず、また、プライバシーを保証し、ユーザに通信が完全で不変であることを保証することができる電子名刺を交換する端末があっても、電子証明書を利用する等複雑な手段を用いていた。
【０００６】
本発明は、このような従来の名刺情報取得システムが有していた問題を解決しようとするものであり、名刺交換をした相手以外の者に知られたくない非公開情報を容易に保護することができる名刺情報取得システムを提供することを目的とするものである。
また、非公開情報の内容が変更された場合でも名刺の作り直しや、再配布の必要のない便利な名刺、名刺情報取得システム及び名刺情報取得方法である。
【課題を解決するための手段】
【０００７】
上記の課題を解決するために、本願の請求項1記載の発明は、ネットワークと、当該ネットワークに接続する第１のサーバ及び第２のサーバと、当該第１のサーバに接続する表示画面を有するパーソナルコンピュータからなる第１の端末と、当該第２のサーバに接続する表示画面を有するパーソナルコンピュータからなる第２の端末と、当該第1のサーバに接続する第１のデータベースと、当該第２のサーバに接続する第２のデータベースと、当該第１のサーバに接続し、第２の端末使用者の名刺に印刷された名刺交換相手以外の者に知られてもよい公開情報、名刺交換相手以外の者に知られたくない非公開情報を取得するＵＲＬ及び公開鍵情報を格納したＱＲコードを読取る第１のＱＲコードリーダと、当該第２のサーバに接続し、第１の端末使用者の名刺に印刷された名刺交換相手以外の者に知られてもよい公開情報、名刺交換相手以外の者に知られたくない非公開情報を取得するＵＲＬ及び公開鍵情報を格納したＱＲコードを読取る第２のＱＲコードリーダとを備え、当該第２の端末使用者の非公開情報を当該第１の端末の表示画面に表示する名刺情報取得システムにおいて、
当該第１のデータベースは、第１の端末使用者の当該非公開情報、公開鍵情報及び当該公開鍵情報と対となる秘密鍵情報並びに第２の端末使用者の当該公開情報、当該非公開情報取得ＵＲＬ及び当該公開鍵情報を保持する領域を有し、
当該第２のデータベースは、第２の端末使用者の当該非公開情報、公開鍵情報及び当該公開鍵情報と対となる秘密鍵情報並びに第１の端末使用者の当該公開情報、当該非公開情報取得ＵＲＬ及び当該公開鍵情報を保持する領域を有し、
当該第１の端末は、当該第１のサーバに第２の端末使用者の非公開情報取得命令を送信する手段と、当該第１のサーバから第２の端末使用者の非公開情報を受信する手段と、受信した第２の端末使用者の非公開情報を表示画面に表示する手段を有し、
当該第１のサーバは、当該第１の端末から第２の端末使用者の非公開情報取得命令を受信し、当該第１のデータベースから第２の端末使用者の非公開情報取得ＵＲＬにもとづき第２端末使用者の非公開情報取得命令を当該ネットワークを介して接続する第２のサーバへ送信する手段と、当該第２のサーバから公開鍵情報取得命令を受信し、当該第１のデータベースから当該第１の端末使用者の公開鍵情報を取得し、当該第２のサーバへ送信する手段と、当該第２のサーバから当該第１の端末使用者の公開鍵情報で暗号化した第２の端末使用者の非公開情報を受信する手段と、当該第１のデータベースから第１の端末使用者の秘密鍵情報を取得する手段と、暗号化した第２の端末使用者の非公開情報を当該第１の端末使用者の秘密鍵情報により復号化する手段と、復号化した当該第２の端末使用者の非公開情報を当該第１の端末へ送信する手段とを有し、
当該第２のサーバは、当該第１のサーバから当該第２の端末使用者の非公開情報取得命令を受信する手段と、当該第１の端末使用者の公開鍵情報取得命令を当該第１のサーバへ送信し、当該第１のサーバから当該第１の端末使用者の公開鍵情報を受信する手段と、受信した当該第１の端末使用者の公開鍵情報が当該第２のデータベースに存在することを確認する手段と、受信した当該第１の端末使用者の公開鍵情報が当該第２のデータベースに存在することが確認できた場合第２のデータベースからの第２の端末使用者の非公開情報を取得する手段と、取得した当該第２の端末使用者の非公開情報を、受信した当該第１の端末使用者の公開鍵情報で暗号化する手段と、当該第１の端末使用者の公開鍵情報で暗号化した当該第２の端末使用者の非公開情報を当該第１のサーバへ送信する手段(706S)とを有し、
第１の端末の使用者の名刺と第２の端末の使用者の名刺とが交換されることにより、
第２の端末使用者の名刺に印刷されたＱＲコードは当該第１のＱＲコードリーダにより読取られ第２の端末使用者の名刺の公開情報、非公開情報取得ＵＲＬ及び公開鍵情報を当該第１のデータベースに格納し、
第１の端末使用者の名刺に印刷されたＱＲコードは当該第２のＱＲコードリーダにより読取られ第１の端末使用者の名刺の公開情報、非公開情報取得ＵＲＬ及び公開鍵情報を当該第２のデータベースに格納し、
第１の端末が第２の端末使用者の非公開情報を取得する命令を当該第１のサーバへ送信すると当該第１のサーバはこれを受信し、当該第１のデータベースに保持する第２の端末使用者の非公開情報取得ＵＲＬにもとづき第２の端末使用者の非公開情報取得命令を当該第２のサーバへ送信し、
当該第２のサーバはこれを受信し、第１の端末使用者の公開鍵情報を取得する命令を当該第１のサーバへ送信し、
当該第１のサーバはこれを受信し当該第１のデータベースに保持する第１の端末使用者の公開鍵情報を第２のサーバへ送信し、
当該第２のサーバはこれを受信し、受信した公開鍵情報が当該第２のデータベースに存在することを確認し、当該第２のデータベースに保持する第２の端末使用者の非公開情報を第１の端末使用者の公開鍵情報で暗号化し暗号化した第２の端末使用者の非公開情報を当該第１のサーバへ送信し、
当該第１のサーバはこれを受信し、受信した暗号化された第２の端末使用者の非公開情報を当該第１のデータベースに保持する第１の端末使用者の秘密鍵情報で復号化し復号化した第２の端末使用者の非公開情報を当該第１の端末に送信し、
当該第1の端末はこれを受信し、受信した第２の端末使用者の非公開情報を画面表示部に表示することを特徴とする。
【０００８】
また、本願の請求項２記載の発明は、ネットワークと、当該ネットワークに接続し名刺情報を管理する第１のサーバ及び第２のサーバと、当該第１のサーバに接続する表示画面を有するパーソナルコンピュータからなる第１の端末と、当該第２のサーバに接続する表示画面を有するパーソナルコンピュータからなる第２の端末と、当該第1のサーバに接続する第１のデータベースと、当該第２のサーバに接続する第２のデータベースと、当該第１のサーバに接続し、第２の端末使用者の名刺に印刷された名刺交換相手以外の者に知られてもよい公開情報、名刺交換相手以外の者に知られたくない非公開情報を取得するＵＲＬ及び公開鍵情報を格納したＱＲコードを読取る第１のＱＲコードリーダと、当該第２のサーバに接続し、第１の端末使用者の名刺に印刷された名刺交換相手以外の者に知られてもよい公開情報、名刺交換相手以外の者に知られたくない非公開情報を取得するＵＲＬ及び公開鍵情報を格納したＱＲコードを読取る第２のＱＲコードリーダとを備え、当該第２の端末使用者の非公開情報を当該第１の端末の表示画面に表示する名刺情報取得システムにおいて、
当該第１のデータベースは、第１の端末使用者の当該非公開情報、公開鍵情報及び当該公開鍵情報と対となる秘密鍵情報 並びに第２の端末使用者の当該公開情報、当該非公開情報取得ＵＲＬ及び当該公開鍵情報を保持する領域を有し、
当該第２のデータベースは、
第２の端末使用者の当該非公開情報、公開鍵情報及び当該公開鍵情報と対となる秘密鍵情報 並びに第１の端末使用者の当該公開情報、当該非公開情報取得ＵＲＬ及び当該公開鍵情報を保持する領域を有し、
当該第１の端末は、当該第１のサーバに第２の端末使用者の非公開情報取得命令を送信する手段と、当該第１のサーバから第２の端末使用者の非公開情報を受信する手段と、受信した第２の端末使用者の非公開情報を表示画面に表示する手段を有し、
当該第１のサーバは、当該第１の端末から第２の端末使用者の非公開情報取得命令を受信し、当該第１のデータベースから第２の端末使用者の非公開情報取得ＵＲＬにもとづき第２端末使用者の非公開情報取得命令を当該ネットワークを介して接続する第２のサーバへ送信する手段と、当該第２のサーバから公開鍵情報取得命令を受信し、当該第１のデータベースから当該第１の端末使用者の公開鍵情報を取得し、当該第２のサーバへ送信する手段と、当該第２のサーバから当該第１の端末使用者の公開鍵情報で暗号化した第２の端末使用者の非公開情報を受信する手段と、当該第１のデータベースから第１の端末使用者の秘密鍵情報を取得する手段と、暗号化した第２の端末使用者の非公開情報を当該第１の端末使用者の秘密鍵情報により復号化する手段と、復号化した当該第２の端末使用者の非公開情報を当該第１の端末へ送信する手段とを有し、
当該第２のサーバは、当該第１のサーバから当該第２の端末使用者の非公開情報取得命令を受信する手段と、当該第１の端末使用者の公開鍵情報取得命令を当該第１のサーバへ送信し、当該第１のサーバから当該第１の端末使用者の公開鍵情報を受信する手段と、受信した当該第１の端末使用者の公開鍵情報が当該第２のデータベースに存在することを確認する手段と、受信した当該第１の端末使用者の公開鍵情報が当該第２のデータベースに存在することが確認できた場合第２のデータベースからの第２の端末使用者の非公開情報を取得する手段と、取得した当該第２の端末使用者の非公開情報を、受信した当該第１の端末使用者の公開鍵情報で暗号化する手段と、当該第１の端末使用者の公開鍵情報で暗号化した当該第２の端末使用者の非公開情報を当該第１のサーバへ送信する手段とを有することを特徴とする。
【０００９】
また、本願の請求項３記載の発明は、ネットワークと、当該ネットワークに接続し名刺情報を管理する第１のサーバ及び第２のサーバと、当該第１のサーバに接続する表示画面を有するパーソナルコンピュータからなる第１の端末と、当該第２のサーバに接続する表示画面を有するパーソナルコンピュータからなる第２の端末と、当該第1のサーバに接続する第１のデータベースと、当該第２のサーバに接続する第２のデータベースと、当該第１のサーバに接続し、第２の端末使用者の名刺に印刷された名刺交換相手以外の者に知られてもよい公開情報、名刺交換相手以外の者に知られたくない非公開情報を取得するＵＲＬ及び公開鍵情報を格納したＱＲコードを読取る第１のＱＲコードリーダと、当該第２のサーバに接続し、第１の端末使用者の名刺に印刷された名刺交換相手以外の者に知られてもよい公開情報、名刺交換相手以外の者に知られたくない非公開情報を取得するＵＲＬ及び公開鍵情報を格納したＱＲコードを読取る第２のＱＲコードリーダとから成り、
第１の端末の使用者の当該名刺と、第２の端末の使用者の当該名刺とが交換されることにより、第２の端末使用者の名刺に印刷されたＱＲコードは当該第１のＱＲコードリーダにより読取られ、第２の端末使用者の名刺の公開情報、非公開情報取得ＵＲＬ及び公開鍵情報を当該第１のデータベースに格納し、
第１の端末使用者の名刺に印刷されたＱＲコードは当該第２のＱＲコードリーダにより読取られ、第１の端末使用者の名刺の公開情報、非公開情報取得ＵＲＬ及び公開鍵情報を当該第２のデータベースに格納し、
第１の端末が第２の端末使用者の非公開情報を取得する命令を当該第１のサーバへ送信すると、当該第１のサーバはこれを受信し、当該第１のデータベースに保持する第２の端末使用者の非公開情報取得ＵＲＬに基づき第２の端末使用者の非公開情報取得命令を当該第２のサーバへ送信し、
当該第２のサーバはこれを受信し、第１の端末使用者の公開鍵情報を取得する命令を当該第１のサーバへ送信し、
当該第１のサーバはこれを受信し、当該第１のデータベースに保持する、第１の端末使用者の公開鍵情報を第２のサーバへ送信し、
当該第２のサーバはこれを受信し、受信した公開鍵情報が当該第２のデータベースに存在することを確認し、当該第２のデータベースに保持する第２の端末使用者の非公開情報を第１の端末使用者の公開鍵情報で暗号化し、暗号化した第２の端末使用者の非公開情報を当該第１のサーバへ送信し、
当該第１のサーバはこれを受信し、受信した暗号化された第２の端末使用者の非公開情報を当該第１のデータベースに保持する第１の端末使用者の秘密鍵情報で復号化し、復号化した第２の端末使用者の非公開情報を当該第１の端末に送信し、
当該第1の端末はこれを受信し、受信した第２の端末使用者の非公開情報を画面表示部に表示することを特徴とする。
【００１０】
また、本願の請求項４記載の発明は、名刺交換相手以外の者に知られてもよい公開情報、名刺交換相手以外の者に知られたくない非公開情報を取得するＵＲＬ及び公開鍵情報を格納したＱＲコードを印刷することを特徴とする。
【００１１】
また、本願の請求項５記載の発明は、名刺交換相手以外の者に知られてもよい公開情報、名刺交換相手以外の者に知られたくない非公開情報を取得するＵＲＬ及び公開鍵情報を格納したＱＲコードを裏面に印刷することを特徴とする。
【発明の効果】
【００１２】
上述したように本発明の名刺情報取得システム及び名刺情報取得方法は、名刺交換をした相手以外の者（名刺交換をしていない名刺取得者を含む。）から名刺情報のうち名刺交換をした相手以外の者に知られたくない非公開情報を保護することができる。
【００１３】
また、非公開情報の内容が変更された場合でも名刺の作り直しや、再配布の必要のない便利な名刺、名刺情報取得システム及び名刺情報取得方法ある。
【００１４】
また、名刺に印刷するＱＲコードには、非公開情報を格納せず、格納するのはこの非公開情報を取得するためのＵＲＬと公開鍵情報であるため、名刺を紛失し、拾われる等により取得した者からの情報漏洩を防止できる。
【００１５】
さらに、名刺の裏面にＱＲコードを印刷することにより、ＱＲコードリーダを操作し易く、名刺の表面に記載した情報を視認し易くなる。
【発明を実施するための最良の形態】
【００１６】
以下、本発明の実施の形態を図１から図８に基づいて説明する。
【００１７】
図1は、本発明の一実施例である名刺情報取得システムの名刺の表（おもて）面の図である。
図1において、100は名刺、101は名刺100の表面、102は名刺の表面101における
公開情報を印刷する位置である。この公開情報は、名刺交換相手以外の者に知られても
よい情報で、後述する非公開情報以外の情報をいい、例えば、会社名や氏名である。
非公開情報は、名刺使用者にとって、名刺交換をする相手以外の者に知られたくない情
報で、例えば、電話番号、ファクシミリ番号、Ｅメールアドレスであり、場合によって
は、住所、部署名も含まれる。この非公開情報は、名刺100には印刷しない。どのよう
な情報を非公開情報とするかについては、名刺使用者の判断により決めることができる。
103は、非公開情報を取得するためのＷｅｂ上又はインターネット上の場所を指定する
ＵＲＬ（Uniform Resource Locator ）である。
【００１８】
図２は、本発明の一実施例である名刺情報取得システムの名刺の裏面の図である。
図２において、200は名刺100の裏面で、201は名刺の裏面200の中央部に印刷されるＱＲコードを示している。また、この位置に印刷するＱＲコード201を印刷する位置は、名刺100の裏面200に限られず表面101でも良い。
ここでいうＱＲコード201は、縦と横の両方向に意味を持たせている２次元バーコードの一種で、著名である。
図３は、本発明の一実施例である名刺に印刷するＱＲコードに格納する情報の項目を示す図である。
【００１９】
図３は、図２に示す名刺100の裏面200に印刷するＱＲコード201に格納する情報を示している。
ＱＲコード201に格納する情報は、公開情報102、非公開情報を取得するためのＵＲＬ103及び非公開情報を暗号化するめの公開鍵情報300である。
【００２０】
図４は、本発明の一実施例である名刺情報取得システムの全体構成を示す概要図である。
図４において、400aは名刺情報を管理する第１のサーバ（サーバＡ）、401aは入力装置や表示画面を備えるパーソナルコンピュータからなる第１の端末（端末Ａ）、402aは第１のデータベース（デ−タベースＡ）、403aは第１のＱＲコードリーダ、404はネットワークである。
【００２１】
また、図４において、400bは名刺情報を管理する第２のサーバ（サーバＢ）、401bは入力装置や表示画面を備えるパーソナルコンピュータからなる第２の端末（端末Ｂ）、402bは第２のデータベース（デ−タベースＢ）、403bは第２のＱＲコードリーダである。
【００２２】
このネットワーク404に、第１のサーバ400aが接続され、この第１のサーバ400aに第１の端末401a、 第１のデータベース402a及び第１の ＱＲコードリーダ403aが接続されている。
また、このネットワーク４０４に、第２のサーバ400bが接続され、この第２のサーバ400bに第２の端末401b、 第２のデータベース402b及び第２のＱＲコードリーダ403bが接続されている。
【００２３】
第１のＱＲコードリーダ403a及び 第２のＱＲコードリーダ403bは、図２の名刺100に印刷されたＱＲコード201を読み取る。
第１の端末401aは、第１のサーバＡ400aと通信し、第２の端末401bの使用者Ｂの非公開情報(図６の非公開情報500bに相当)を表示画面に表示する。
【００２４】
第２の端末401bは、第１の端末401aと同様に第２のサーバＢ400bと通信し、第１の端末401aの使用者Ａの非公開情報(図５の500a非公開情報に相当)を表示画面に表示する。
第１のサーバ400aは、第１の端末401a、第２のサーバ400bと通信したり、第１のデータベース402aから必要な情報を取得したり、第１の端末使用者Ａの非公開情報(
図５の500a非公開情報)を暗号化したり、暗号化された第２の端末使用者Ｂの非公開情報（図６の500b非公開情報を暗号化したもの）を復号化したりする。
【００２５】
第２のサーバ400bは、第１のサーバ400aと同様に第２の端末401b、第１のサーバＡ400aと通信したり、第２のデータベースＢ402bから必要な情報を取得したり、第２の端末使用者Ｂの非公開情報(図６の500b非公開情報)を暗号化したり、暗号化された第１の端末使用者Ａの非公開情報(図５の500A非公開情報を暗号化したもの)を復号化したりする。
各端末、各サーバ間の通信シーケンスについては後述する。
【００２６】
第１の端末Ａ401aの使用者Ａと、第２の端末Ｂ401bの使用者Ｂは、それぞれ図１〜図３で示す情報を印刷した名刺100を持つ。そして、第１の端末Ａ401aの使用者Ａの名刺を100aとし、第２の端末Ｂ401bの使用者Ｂの名刺を100bとして、以下説明する。
データベースＡ402aに予め格納する情報を、図５の500a、300a、301aに示す。
図５において、500aは、第１の端末Ａ使用者Ａの非公開情報であり、図１の非公開情報取得ＵＲＬ103の対象となる情報である。
【００２７】
また、300aは、第１の端末Ａ使用者Ａの公開鍵情報であり、図２及び図３のＱＲコード201に格納する公開鍵情報300に相当する。
また、301aは、第１の端末Ａ使用者Ａの秘密鍵情報であり、公開鍵情報300aと対となるものである。
【００２８】
同様に、データベースＢ402bに予め格納する情報を、図６の500b、300b、301bに示す。
図６において、500bは、第２の端末Ｂ使用者Ｂの非公開情報であり、図１の非公開情報取得ＵＲＬ103の対象となる情報である。
【００２９】
また、300bは、第２の端末Ｂ使用者Ｂの公開鍵情報であり、図２及び図３のＱＲコード201に格納する公開鍵情報300に相当する。
また、301bは、第２の端末Ｂ使用者Ｂの秘密鍵情報であり、300b公開鍵情報と対となるものである。
【００３０】
次に、第１の端末Ａ401aの使用者Ａと第２の端末Ｂ401bの使用者Ｂが、互いの名刺100a、100bを交換した場合について、図４〜６に基づき説明する。
第１のＱＲコードリーダ403aは、名刺交換で取得した第２の端末Ｂ使用者Ｂの名刺100bに印刷されたＱＲコード201を読み取り、読み取った情報を、第１のデータベースＡ402aに格納する。
【００３１】
第１のデータベースＡ402aに格納した情報について、図５の102b、103b、300bに示す。
図５中の102bは、第２の端末Ｂ使用者の公開情報(図１の102公開情報に相当)、103bは第２の端末Ｂ使用者の非公開情報取得ＵＲＬ(図１の103非公開情報取得ＵＲＬに相当)、300bは第２の端末Ｂ４０１ｂの使用者Ｂの公開鍵情報(図３の公開鍵情報300に相当)を示す。
【００３２】
同様に、ＱＲコードリーダ403bは、名刺交換で取得した第１の端末Ａ使用者Ａの名刺100aに印刷されたＱＲコード201を読み取り、第２のデータベースＢ402bに格納する。
第２のデータベースＢ402bに格納した情報について、図６の102a、103a、300aに示す。
図中102aは、第１の端末Ａ使用者Ａの公開情報(図１の102公開情報に相当)、103aは第１の端末Ａ使用者Ａの非公開情報取得ＵＲＬ(図１の103非公開情報取得ＵＲＬに相当)、300aは第１の端末Ａ使用者Ａの公開鍵情報(図３の300公開鍵情報に相当)を示す。
【００３３】
次に、第１の端末Ａ401aが、第２の端末Ｂ401bの使用者Ｂの非公開情報500bを取得する場合について、図４〜図８に基づき説明する。
図７及び図８は、第１の端末401a（端末Ａ）が、第２の端末Ｂ401b（端末Ｂ）使用者Ｂの非公開情報500bを取得する場合の、第１の端末401a、第１のサーバ400a、第２のサーバ400b（サーバＢ）間の通信シーケンスを示すものである。
ここで、図７の○で囲む数字は、図８の○で囲む数字とリンクしていることを示すものである。
【００３４】
第１の端末401aは、第２の端末401bの使用者Ｂの非公開情報500bを取得する命令を、第１のサーバ400aへ送信する
(700S)。
第１のサーバ400aは、この命令を受信する (700R) 。
第１のサーバ400aは、第１のデータベース402aから、第２の端末401b使用者Ｂの非公開情報取得ＵＲＬ103bを取得し(701D)、
第１のサーバ400aは、第２の端末401b使用者Ｂの非公開情報取得ＵＲＬ103bにより第２の端末401b使用者Ｂの非公開情報取得命令を第２のサーバ400bへ送信する(702S)。  
【００３５】
第２のサーバ400bはこの命令を受信する(702R)
。
そして、第２のサーバ400bは、第１の端末401a使用者Ａの公開鍵情報300aを取得する命令を、第１のサーバ400aへ送信する(703S)。
第１のサーバ400aは、この使用者Ａの公開鍵情報300aを取得する命令を受信する(703R)。
第１のサーバ400aは、第１のデータベースＡ402aから、第１の端末401a使用者Ａの公開鍵情報300aを取得する(704D)。
第１のサーバ400aは、この第１の端末401a使用者Ａの公開鍵情報300aを第２のサーバ400bへ送信する(705S)。
【００３６】
第２のサーバ400bは、この第１の端末401a使用者Ａの公開鍵情報300aを受信する(705R)。
そして、第２のサーバ400bは、受信した公開鍵情報300aが、第２のデータベース402bに存在するか否かを判断する
(800CHECK) 。
【００３７】
第２のサーバ400bは、受信した公開鍵情報300aが、第２のデータベース402bに存在しない場合は、名刺交換した相手以外の者からのアクセスとして、エラーメッセージをアクセスしたサーバに送信する
(706ES)。
第２のサーバ400bは、受信した公開鍵情報300aが、第２のデータベース402bに存在する場合は、名刺交換した相手からのアクセスとして（本人確認ができたとして）、第２のデータベース402bから、第２の端末401b使用者Ｂの非公開情報500bを取得する(801D)。
【００３８】
第２のサーバ400bは、第１のサーバ400aから受信した公開鍵情報300aで第２の端末401b使用者Ｂの非公開情報500bを暗号化する(802ENC)。
第２のサーバ400bは、暗号化した第２の端末401b使用者Ｂの非公開情報500bを、第１のサーバ400aへ送信する(706S)。
【００３９】
第１のサーバ400aは、この暗号化された第２の端末401b使用者Ｂの非公開情報500bを受信する(706R)。
そして、第１のサーバ400aは、第１のデータベース402aから第１の端末401a使用者Ａの秘密鍵情報301aを取得する(707D)。
【００４０】
第１のサーバ400aは、第２のサーバ400bから受信した暗号化された第２の端末使用者Ｂの非公開情報500bを秘密鍵情報301aにより復号化する(708DEC)。
第１のサーバ400aは、復号化した第２の端末401b使用者Ｂの非公開情報500bを、第１の端末401aへ送信する(709S)。
【００４１】
第１の端末401aは、この復号化した第２の端末401b使用者Ｂの非公開情報500bを受信する(709R)。
第１の端末401aは、受信した非公開情報500bを、第１の端末401aの画面表示部に表示する(710SHOW)。
【００４２】
第２の端末401bが、第１の端末401a使用者Ａの非公開情報500aを取得する場合も上記と同様のステップにより非公開情報500aを取得する。
【００４３】
したがって、名刺100aと名刺100bを交換した者、即ち第１の端末401a使用者Ａと第２の端末401b使用者Ｂ以外の者に対し、相手の電話番号、メールアドレス等の非公開情報を知られずに、保護することができる。
したがって、名刺交換をした者以外の者から非公開情報を保護する（秘密に保つ）ことができる。
【図面の簡単な説明】
【００４４】
【図１】本発明の一実施例である名刺情報取得システムの名刺の表面の図。
【図２】本発明の一実施例である名刺情報取得システムの名刺の裏面の図。
【図３】本発明の一実施例である名刺に印刷するＱＲコード格納情報の項目を示す図。
【図４】本発明の一実施例である名刺情報取得システムの全体構成を示す概要図。
【図５】本発明の一実施例である名刺情報取得システムのデータベースＡの情報記録フォーマット。
【図６】本発明の一実施例である名刺情報取得システムのデータベースＢの情報記録フォーマット。
【図７】本発明の一実施例である名刺情報取得システムの端末Ａ及びサーバＡのフローチャート。
【図８】本発明の一実施例である名刺情報取得システムのサーバＢのフローチャート。
【符号の説明】
【００４５】
100：名刺
101：名刺の表面
102：公開情報
103：非公開情報取得ＵＲＬ
200：名刺の裏面
201：ＱＲコード
300：公開鍵情報
400a：第１のサーバ（サーバＡ）
401a：第１の端末（端末Ａ）
402a：第１のデータベース
403a：第１のＱＲコードリーダ
404 ：ネットワーク
400b：第２のサーバ（サーバＢ）
401b：第２の端末
402b：第２のデータベース
403b：第２のＱＲコードリーダ
500a：第１の端末使用者の非公開情報
300a：第１の端末使用者の公開鍵情報
301a：第１の端末使用者の秘密鍵情報
102b：第２の端末使用者の公開情報
103b：第２の端末使用者の非公開情報取得ＵＲＬ
300b：第２の端末使用者の公開鍵情報
500b：第２の端末使用者の非公開情報
300b：第２の端末使用者の公開鍵情報
301b：第２の端末使用者の秘密鍵情報
102a：第１の端末使用者の公開情報
103a：第１の端末使用者の非公開情報取得ＵＲＬ
300a：第１の端末使用者の公開鍵情報
【図１】
2008282238.tif 000003
【図２】
2008282238.tif 000004
【図３】
2008282238.tif 000005
【図４】
2008282238.tif 000006
【図５】
2008282238.tif 000007
【図６】
2008282238.tif 000008
【図７】
2008282238.tif 000009
【図８】
2008282238.tif 000010